(57)【要約】【課題】自由度の高いスケジュール管理を行う。【解決手段】時系列で処理する処理内容を含むスケジュール情報を既存スケジュール情報として記憶すると共に、無線又は有線の通信形態で送信されたスケジュール情報を新規スケジュール情報として受信する。新規スケジュール情報を受信したときに、該新規スケジュール情報の処理内容を表示部１３に画面表示させる。新規スケジュール情報を既存スケジュール情報としてスケジュールデータ領域１６ｃに記憶させるか否かを選択する受入ボタン表示欄２４の受入ボタン及び拒否ボタン表示欄２６の拒否ボタンを有している。【選択図】図１
2006221500.tif 000002
【特許請求の範囲】
【請求項１】
時系列で処理する処理内容を含むスケジュール情報を既存スケジュール情報として記憶するスケジュール記憶手段と、
無線又は有線の通信形態で送信されたスケジュール情報を新規スケジュール情報として受信する受信手段と、
前記既存スケジュール情報及び前記新規スケジュール情報を含む各種の情報を画面表示可能な表示手段と、
前記新規スケジュール情報を受信したときに、該新規スケジュール情報の処理内容を前記表示手段に画面表示させる表示制御手段と、
前記新規スケジュール情報を前記既存スケジュール情報として前記スケジュール記憶手段に記憶させるか否かを選択する選択手段と
を有することを特徴とする携帯型端末装置。
【請求項２】
前記表示制御手段は、
前記スケジュール記憶手段から前記新規スケジュール情報の処理時間帯に基づいて前記既存スケジュール情報を抽出し、抽出した既存スケジュール情報と前記新規スケジュール情報とを時系列で前記表示手段に画面表示させることを特徴とする請求項１に記載の携帯型端末装置。
【請求項３】
前記選択手段は、さらに、
前記新規スケジュール情報を前記既存スケジュール情報として前記スケジュール記憶手段に記憶させるか否かを保留する保留手段を有することを特徴とする請求項１又は２に記載の携帯型端末装置。
【請求項４】
前記表示制御手段は、
前記保留手段により保留されたときに、保留したスケジュール情報と共に保留中の他のスケジュール情報を前記表示手段に画面表示させることを特徴とする請求項１ないし３の何れか１項に記載の携帯型端末装置。
【請求項５】
前記選択手段における操作結果を前記スケジュール情報の送信元に返信する返信手段を有することを特徴とする請求項１ないし４の何れか１項に記載の携帯型端末装置。
【請求項６】
請求項５に記載の携帯型端末装置と、
前記携帯型端末装置に対して前記スケジュール情報を送信すると共に、前記携帯型端末装置からの前記選択手段の操作結果を受信することによって、前記スケジュール情報を管理するスケジュール管理手段と
を有することを特徴とするスケジュール管理システム。
【発明の詳細な説明】
【技術分野】
【０００１】
本発明は、スケジュール情報を画面表示する携帯型端末装置及びスケジュール情報管理システムに関する。
【背景技術】
【０００２】
従来、この種の携帯型端末装置やスケジュール管理システムとしては、例えば特許文献１に記載のものがある。具体的には、パーソナルコンピュータにスケジュール管理ソフトを導入し、パーソナルコンピュータ側でスケジュール管理を行いながら、スケジュールに組み込まれた設定時刻や外部からの連絡があったときに、スケジュール情報を電話回線を通じてポケットベルや携帯電話等の移動通信端末に送信するように構成されている。これにより、移動体通信端末の所持者は、パーソナルコンピュータからのスケジュール情報を任意の場所で確認することが可能になっている。
【０００３】
【特許文献１】特開平１１−２１３０４８号公報
【発明の開示】
【発明が解決しようとする課題】
【０００４】
しかしながら、上記従来のように、パーソナルコンピュータ側で全てのスケジュール管理が行われると、移動通信端末の所持者の意思が反映されずに不満足なスケジュールが設定される場合があることから、所持者の意向を反映したスケジュールを組み上げることが可能な自由度の高いスケジュール管理を行えることが望まれている。
【０００５】
本発明の目的は、自由度の高いスケジュール管理を行うことができる携帯型端末装置及びスケジュール管理システムを提供することである。
【課題を解決するための手段及び効果】
【０００６】
本発明は、携帯型端末装置であって、時系列で処理する処理内容を含むスケジュール情報を既存スケジュール情報として記憶するスケジュール記憶手段と、無線又は有線の通信形態で送信されたスケジュール情報を新規スケジュール情報として受信する受信手段と、前記既存スケジュール情報及び前記新規スケジュール情報を含む各種の情報を画面表示可能な表示手段と、前記新規スケジュール情報を受信したときに、該新規スケジュール情報の処理内容を前記表示手段に画面表示させる表示制御手段と、前記新規スケジュール情報を前記既存スケジュール情報として前記スケジュール記憶手段に記憶させるか否かを選択する選択手段とを有している。
【０００７】
上記の構成によれば、携帯型端末装置に新規スケジュール情報の処理内容が画面表示されるため、これを見た携帯型端末装置の所持者が新規スケジュール情報をスケジュール（予定）に組み込むか否かを自分自身で判断することができる。これにより、スケジュールを組み上げる際の自由度を携帯型端末装置の所持者の意向まで反映した状態に高めることができる場合がある。さらに、秘書のようなスケジュール管理者が各人のスケジュールを管理する必要をなくすことができる場合もある。
【０００８】
前記表示制御手段は、前記スケジュール記憶手段から前記新規スケジュール情報の処理時間帯に基づいて前記既存スケジュール情報を抽出し、抽出した既存スケジュール情報と前記新規スケジュール情報とを時系列で前記表示手段に画面表示させてもよい。この構成によれば、携帯型端末装置に新規スケジュール情報と既存スケジュール情報とが時系列で画面表示されるため、これを見た携帯型端末装置の所持者が新規スケジュール情報をスケジュールに組み込むか否かを自分自身で判断することが容易になる場合がある。
【０００９】
前記選択手段は、さらに、前記新規スケジュール情報を前記既存スケジュール情報として前記スケジュール記憶手段に記憶させるか否かを保留する保留手段を有していてもよい。この構成によれば、新規スケジュール情報をスケジュールに組み込むか否かの判断を即座にする必要がなくなるため、一層、所持者の好みに応じた自由度の高いスケジュールを組み上げることが可能になる。
【００１０】
前記表示制御手段は、前記保留手段により保留されたときに、保留したスケジュール情報と共に保留中の他のスケジュール情報を前記表示手段に画面表示させてもよい。この構成によれば、保留中の他のスケジュール情報を確認しながら、スケジュール情報を既存スケジュール情報として受け入れるか否かを判断することができるため、一層判断が容易になる場合がある。
【００１１】
また、前記選択手段における操作結果を前記スケジュール情報の送信元に返信する返信手段を有してもよい。この構成によれば、スケジュール情報の送信元においてスケジュール情報の受入や拒否、保留等を管理することが可能になる場合がある。
【００１２】
また、本発明は、スケジュール管理システムであって、携帯型端末装置と、前記携帯型端末装置に対して前記スケジュール情報を送信すると共に、前記携帯型端末装置からの前記選択手段の操作結果を受信することによって、前記スケジュール情報を管理するスケジュール管理手段とを有している。この構成によれば、スケジュール管理手段において携帯型端末装置に記憶されたスケジュール情報の状態を把握することができるため、１台のスケジュール管理手段で複数の携帯型端末装置を管理することが可能になる場合がある。
【発明を実施するための最良の形態】
【００１３】
本発明の実施の形態を図１ないし図７に基づいて以下に説明する。
【００１４】
本実施の形態にかかる携帯型端末装置は、図３に示すように、スケジュール管理システムにおいて用いられる。スケジュール管理システムは、単数又は複数の携帯型端末装置１と、全ての携帯型端末装置１のスケジュール情報を管理するスケジュール管理装置２と、携帯型端末装置１及びスケジュール管理装置２間でのデータ通信を可能にするインターネット等のデータ通信網３とを有している。尚、データ通信網３は、インターネットの他、専用回線で接続された通信網であってもよい。また、通信方式は、電波や音波、光を用いた無線、通信ケーブルや電話回線等による有線、及びこれらの組み合わせの何れであってもよい。
【００１５】
上記のスケジュール管理装置２は、ハードディスク等の大容量記憶装置４と、大容量記憶装置４に記憶された各種のデータを情報処理する情報処理装置５と、情報処理装置５に接続された端末装置６とを有している。端末装置６は、表示装置やキーボード、演算装置、通信装置等を備えたパーソナルコンピュータ等からなっている。そして、端末装置６は、情報処理装置５に対して情報処理の内容を指示したり、情報処理の処理結果を表示装置に表示可能にしている。
【００１６】
上記の端末装置６に接続された大容量記憶装置４には、図５に示すように、管理装置側スケジュールデータテーブルの記憶領域が形成されている。このデータテーブルは、携帯型端末装置１の全所持者のスケジュール情報を管理するためのデータベースとして機能するものである。
【００１７】
具体的には、“管理番号”、“件名”、“開始時刻”、“終了時刻”、“場所”、“実行者”、“面談相手”、“面談内容”、“予定可否”等の各種の管理項目で構成されたスケジュール情報を一覧表の形態で格納するようになっている。ここで、“管理番号”は、スケジュール情報が発生するごとに１番から順番にカウントアップされるものであり、スケジュール情報を特定する番号である。“件名”は、スケジュール情報の概要を示すものであり、例えば、第１会議や食事会等の内容が格納される。“開始時刻”及び“終了時刻”は、件名の内容が開始及び終了する時刻をそれぞれ示している。“場所”は、件名が実施される場所を示し、“実行者”は、このスケジュール情報が送信される携帯型端末装置１の所持者を示している。また、“面談相手”は、携帯型端末装置１の所持者が面談する相手を示し、“面談内容”は、件名の詳細を示している。
【００１８】
また、“予定可否”は、このスケジュール情報を携帯型端末装置１の所持者（実行者）がどのように処理したかを示している。即ち、“予定可否”の項目に“受入”が格納されていれば、携帯型端末装置１の所持者（実行者）がスケジュール情報をスケジュールに組み込んだことを示し、“拒否”が格納されていれば、スケジュール情報をスケジュールに組み込まなかったことを示し、“保留”が格納されていれば、スケジュール情報をスケジュールに組み込むか否かの判断を保留していることを示している。
【００１９】
これにより、例えば、端末装置６において“管理番号＝２”を指定した場合には、情報処理装置５が大容量記憶装置４の管理装置側スケジュールデータテーブルから“管理番号＝２”に対応するスケジュール情報を検索して読み出し、表示装置に表示することにより端末装置６のオペレータに確認させることが可能になっている。また、新たなスケジュール情報が発生した場合には、このスケジュール情報を端末装置６に入力することによって、情報処理装置５により管理番号が付与された後、大容量記憶装置４の管理装置側スケジュールデータテーブルに格納されるようになっている。
【００２０】
また、図３に示すように、端末装置６は、データ通信網３を介して携帯型端末装置１とデータ通信可能にされている。端末装置６は、新たなスケジュール情報を実行者に送信して受入れの可否等を調査するスケジュール送信処理を実行可能になっている。スケジュール送信処理は、スケジュール情報を実行する実行者を指定すれば、この実行者が所持する携帯型端末装置１の装置ＩＤをスケジュール情報の情報信号に含ませ、必要に応じて暗号化した後、データ通信網３を介して全実行者に送信し、装置ＩＤに一致する携帯型端末装置１を所持する実行者にだけスケジュール情報を確認可能にするようになっている。そして、返信された返信信号に基づいてスケジュール情報の処理内容を確認し、例えば、スケジュールに組み込む処理結果の場合には、上述のように“受入”を“予定可否”の管理項目に登録するようになっている。
【００２１】
上記のように構成されたスケジュール管理装置２に対してデータ通信可能にされた携帯型端末装置１は、操作スイッチ部１０とタッチパネル部１１と入力部１２と表示部１３と通信部１４とＣＰＵ１５と記憶部１６と図示しない電池等の電源装置とを有している。通信部１４は、上述のデータ通信網３を介してデータ通信可能にする機能を有している。ＣＰＵ１５は、図６のスケジュール管理処理ルーチン等の各種のプログラムを実行可能になっている。これらのプログラムは、記憶部１６に格納されている。記憶部１６には、プログラム領域１６ａと管理データ領域１６ｂとスケジュールデータ領域１６ｃとが形成されている。
【００２２】
上記のプログラム領域１６ａには、上述のスケジュール管理処理ルーチン等のプログラムが格納されている。スケジュール管理処理ルーチンは、新規のスケジュール情報を表示し、これをスケジュールに組み込むか否かを携帯型端末装置１の所持者に決定させる機能を有している。尚、携帯型端末装置１は、スケジュール管理処理ルーチンのみを実行するスケジュール専用の装置にされていても良いし、他の処理機能を備えた汎用型の装置であってもよい。例えば、ワープロ用のプログラムや表計算のプログラムや辞書用のプログラム等をプログラム領域１６ａに格納し、これらプログラムを必要に応じて任意に実行可能にされていても良い。
【００２３】
管理データ領域１６ｂには、携帯型端末装置１に固有の装置ＩＤや携帯者名（所有者名）、パスワード等の管理情報が格納されている。これらの管理情報は、スケジュール情報等の各種のデータをスケジュール管理装置２との間で送受信する際に、携帯型端末装置１を特定するデータとして用いられるようになっている。尚、携帯型端末装置１は、スケジュール管理装置２に対するデータ通信の他、他の携帯型端末装置１に対してデータ通信可能にされていても良い。
【００２４】
スケジュールデータ領域１６ｃには、スケジュール情報が格納されている。スケジュール情報は、図４の携帯端末側スケジュールデータテーブルの形態で格納されている。具体的には、“予定番号”、“件名”、“開始時刻”、“終了時刻”、“場所”、“面談相手”、“面談内容”、“予定可否”等の各種の管理項目で構成されたスケジュール情報を一覧表の形態で格納している。ここで、“予定番号”は、装置ＩＤに一致した新規のスケジュール情報を受信するごとに１番から順番にカウントアップされるものであり、スケジュール情報を特定する番号である。その他の管理項目は、上述の図５の管理項目と同一の内容である。このデータテーブルを用いた情報処理の詳細については、図６のスケジュール管理処理ルーチンを用いて後述する。
【００２５】
上記の記憶部１６にアクセス可能に接続されたＣＰＵ１５は、入力部１２を介して操作スイッチ部１０及びタッチパネル部１１に接続されていると共に、各種の情報を画面表示する表示部１３に接続されている。これら操作スイッチ部１０、タッチパネル部１１及び表示部１３は、携帯型端末装置１の操作面に設けられている。ここで、操作面とは、携帯型端末装置１を操作する操作者に対向する上面のことである。表示部１３は、液晶表示パネル等からなっており、情報を可能な限り大画面で表示するように、操作面の略中央部に大きな面積を占有して設けられている。表示部１３の表面全体には、透明のタッチパネル部１１が貼設されている。タッチパネル部１１は、操作位置（押圧位置）をＸ座標及びＹ座標の２次元座標で検出するように構成されており、指先やペン先等で押圧された操作位置の二次元座標信号を出力するようになっている。これにより、図３のＣＰＵ１５は、二次元座標信号と表示部１３の表示画像とに基づいて操作内容を認識して処理することが可能になっている。
【００２６】
また、図１に示すように、上記の表示部１３の下方には、操作スイッチ部１０が設けられている。操作スイッチ部１０は、上下左右の４箇所にスイッチ部を備えた十字形状の方向操作ボタン１０ａと、方向操作ボタン１０ａの中央部に配置された中央操作ボタン１０ｂとを有している。これらの操作ボタン１０ａ。１０ｂは、処理内容により異なる機能を発揮するように変更されるが、主に、方向操作ボタン１０ａは、カーソル等の移動時に用いられる一方、中央操作ボタン１０ｂは、“右クリック”や“左クリック”として指示内容を確定する際に用いられる。
【００２７】
上記の表示部１３は、図１のスケジュール入力画面や図２のスケジュール保留画面を表示可能になっている。尚、表示部１３は、これらのスケジュールに関係する画面の他、搭載された処理プログラムに応じた画面、例えば、辞書画面やワープロ画面等を表示可能になっている。図１のスケジュール入力画面は、画面左上に配置されたカレンダー表示欄２１と、カレンダー表示欄２１の下方に配置された新規スケジュール表示欄２２と、カレンダー表示欄２１及び新規スケジュール表示欄２２の右側に配置された時間割表示欄２３と、新規スケジュール表示欄２２及び時間割表示欄２３の下方に配置された受入ボタン表示欄２４、保留ボタン表示欄２５及び拒否ボタン表示欄２６とを有している。
【００２８】
上記のカレンダー表示欄２１は、スケジュール情報の年月日を表示するものであり、正方形上の日付枠２１ａで囲まれた日付のスケジュール情報を他の表示欄２２・２３で表示することを示すようになっている。日付枠２１ａは、新規のスケジュール情報を受け取ったときに、そのスケジュール情報が示す日付を囲むように設定されていると共に、ペン先や操作スイッチ部１０の操作により移動可能にされている。これにより、四角枠を移動させた場合には、移動した日付枠で囲まれた日付のスケジュール情報が表示可能になっている。
【００２９】
新規スケジュール表示欄２２は、図３のスケジュール管理装置２から送信された新規のスケジュール情報を受け取ったときに、このスケジュール情報の内容を表示するようになっている。具体的には、“件名”を上部に表示すると共に、“開始時刻”、“終了時刻”、“場所”、“面談相手”、“面談内容”を表示するようになっている。これにより、携帯型端末装置１の所持者は、新規スケジュール表示欄２２により新規のスケジュール情報の詳細を確認することが可能になっている。
【００３０】
また、時間割表示欄２３には、新規スケジュール表示欄２２に表示された新規のスケジュール情報と共に、この新規のスケジュール情報の処理時間帯（開始時刻から終了時刻までの時間）に前後する既存のスケジュール情報が時系列で表示されるようになっている。各スケジュール情報は、スケジュール枠２３ａで囲まれて表示されている。スケジュール枠２３ａは、処理時間帯に応じた上下方向の長さに設定されており、スケジュール枠２３ａのサイズを目視することにより直感的に所要時間を認識可能にしている。また、スケジュール枠２３ａ内には、“件名”と“面談相手”が少なくとも表示されるようになっている。さらに、スケジュール枠２３ａの左側には、上端部に対応した位置に“開始時刻”が表示されると共に、下端部に対応した位置に“終了時刻”が表示されるようになっている。
【００３１】
また、スケジュール枠２３ａは、新規スケジュール表示欄２２に表示されたスケジュール情報に対応するものを破線や強調色で表示されるようになっている。さらに、スケジュール枠２３ａは、新規のスケジュール情報と既存（受入）のスケジュール情報と保留のスケジュール情報とを識別可能にしている。尚、スケジュール枠２３ａ内の全体を色分け表示しても良い。また、ペン先等で他のスケジュール枠２３ａを押圧した場合には、押圧したスケジュール枠２３ａに対応するスケジュール情報の詳細が新規スケジュール表示欄２２に切り替え表示される。さらに、スケジュール枠２３ａの左側には、スクロール部２３ｂが設けられている。スクロール部２３ｂは、ペン先等で押圧されることによって、時間割表示欄２３内の表示を上下方向（現時点の時刻から前の時刻及び後の時刻）にスクロールして他のスケジュール枠２３ａを出現可能にしている。
【００３２】
上記の時間割表示欄２３の下方に配置された拒否ボタン表示欄２６は、新規スケジュール表示欄２２に表示された新規のスケジュール情報を既存のスケジュール情報としてスケジュールに組み込まないことを指示する拒否ボタンとして機能する。受入ボタン表示欄２４は、新規スケジュール表示欄２２に表示された新規のスケジュール情報を既存のスケジュール情報としてスケジュールに組み込むことを指示する受入ボタンとして機能する。また、保留ボタン表示欄２５は、新規スケジュール表示欄２２に表示された新規のスケジュール情報を既存のスケジュール情報としてスケジュールに組み込むか否かの判断を保留することを指示する保留ボタンとして機能する。
【００３３】
上記の保留ボタン表示欄２５は、図１のスケジュール入力画面を図２のスケジュール保留画面に切り替えるようになっている。スケジュール保留画面は、図２に示すように、カレンダー表示欄２１と時間割表示欄２３とを有していると共に、保留スケジュール表示欄２７を有している。保留スケジュール表示欄２７の下方には、図１のスケジュール入力画面に切り替え表示する戻るボタン表示欄２８の戻るボタンと、保留を決定する決定ボタン表示欄２９の保留ボタンと拒否ボタン表示欄２６とが並列配置されている。尚、拒否ボタン表示欄２６、カレンダー表示欄２１及び時間割表示欄２３は、上述の図１のカレンダー表示欄２１及び時間割表示欄２３と同一の機能を有している。
【００３４】
上記の保留スケジュール表示欄２７は、保留中のスケジュール情報の内容を表示するようになっている。具体的には、“件名”を上部に表示すると共に、予定日時である“開始時刻”や“終了時刻”、面談相手である“面談相手”を一覧表示するようになっている。これにより、保留中のスケジュール情報が同一時間に重複してスケジュールに組み込まれるというような不適当なスケジュールの組み上げを防止している。
【００３５】
上記の構成において、携帯型端末装置１及びスケジュール管理システムの動作について説明する。
【００３６】
図３に示すように、スケジュール管理装置２において、新規のスケジュール情報が発生すると、このスケジュール情報が実行者名と共に端末装置６に入力され、情報処理装置５を介して大容量記憶装置４の管理装置側スケジュールデータテーブルに格納される。また、実行者名が所持する携帯型端末装置１の装置ＩＤがスケジュール情報に付与された後、このスケジュール情報がデータ通信網３に送信され、データ通信網３に接続された他の端末装置６等を介してビル内や工場内、移動中の車両内等に存在する全ての携帯型端末装置１に送信される。
【００３７】
各携帯型端末装置１においては、図６に示すように、スケジュール管理処理ルーチンを他の処理プログラムとは独立して並列的に実行しており、スケジュール情報を受信したか否かを判定している（Ｓ１）。スケジュール情報を受信しなければ（Ｓ１，ＮＯ）、Ｓ１を繰り返して実行し、スケジュール情報の受信待ち状態で待機する。
【００３８】
一方、スケジュール情報を受信した場合には（Ｓ１，ＹＥＳ）、スケジュール情報を取り込んで記憶部１６に一時的に格納する（Ｓ２）。そして、スケジュール情報に含まれた装置ＩＤを読み出し（Ｓ３）、この装置ＩＤが自己の装置ＩＤに一致するか否かを判定し（Ｓ４）、自己の装置ＩＤに一致しなければ（Ｓ４，ＮＯ）、Ｓ１を再実行してスケジュール情報の受信待ち状態を継続する。一方、自己の装置ＩＤである場合には（Ｓ４，ＹＥＳ）、記憶部１６に一時的に格納したスケジュール情報を新規スケジュール情報として読み出す（Ｓ５）。そして、図１のスケジュール入力画面を表示部１３に表示し（Ｓ６）、新規スケジュール情報が届いた旨を携帯型端末装置１の所持者（実行者）に報知する。尚、この報知は、入力画面の表示と共に音声で行っても良い。
【００３９】
次に、新規スケジュール情報を各表示欄２２・２３に表示する。具体的には、新規スケジュール表示欄２２に“件名”として“第３会議”を表示すると共に、“開始時刻”や“終了時刻”、“場所”、“面談相手”等を表示することによって、新規スケジュール情報の詳細を報知する（Ｓ７）。そして、新規スケジュール情報の開始時刻及び終了時刻に前後する既存のスケジュール情報を時間割表示欄２３の中心部に表示する。
【００４０】
即ち、新規スケジュール情報の開始時刻と終了時刻とに基づいてスケジュール枠２３ａのサイズ（立て方向の長さ）を決定し、このスケジュール枠２３ａを時間割表示欄２３の中央部に破線等で表示すると共に、スケジュール枠２３ａで囲まれた内部に第３会議等の“件名”を表示する。また、この新規スケジュール情報の時間帯に前後する既存のスケジュール情報を図３の記憶部１６のスケジュールデータ領域１６ｃから抽出する。そして、抽出した既存スケジュール情報のスケジュール枠２３ａのサイズ（立て方向の長さ）を決定し、既存スケジュール情報のスケジュール枠２３ａと新規スケジュール情報のスケジュール枠２３ａとを時系列で時間割表示欄２３に上下方向に画面表示する（Ｓ８）。尚、この画面表示においては、既存スケジュール情報に“受入フラグ”が設定されていれば、スケジュールに組み込まれたことを示す模様や表示色が付加され、“保留フラグ”が設定されていれば、スケジュールへの組み込みが保留されていることを示す模様や表示色が付加される。
【００４１】
この後、受入ボタン表示欄２４の受入ボタン、保留ボタン表示欄２５の保留ボタン、及び拒否ボタン表示欄２６の拒否ボタンの何れかが入力操作されたか否かを判定し（Ｓ９）、入力操作されなければ（Ｓ９，ＮＯ）、Ｓ９が繰り返して実行されることにより入力操作の待機状態となる。表示欄２４〜２６の何れかがペン先等で押圧されることによって、入力操作された場合には（Ｓ９，ＹＥＳ）、受入ボタンの操作か否かを判定する（Ｓ１０）。受入ボタンの操作の場合には（Ｓ１０，ＹＥＳ）、図４の携帯型端末側スケジュールデータテーブルに新規スケジュール情報を既存スケジュール情報として格納する（Ｓ１１）。そして、格納したスケジュール情報に受入フラグをセットした後（Ｓ１２）、新規スケジュール情報をスケジュールに組み込んだ旨を示す受入信号をスケジュール管理装置２に返信する（Ｓ１３）。
【００４２】
また、Ｓ１０において、受入ボタンの操作でないと判定した場合には（Ｓ１０，ＮＯ）、保留ボタンの操作であったか否かを判定し（Ｓ１４）、保留ボタンの操作でなければ（Ｓ１４，ＮＯ）、続いて、拒否ボタンの操作か否かを判定する（Ｓ１５）。拒否ボタンであれば（Ｓ１５，ＹＥＳ）、新規スケジュール情報をスケジュールに組み込まなかった旨を示す拒否信号をスケジュール管理装置２に返信する（Ｓ１６）。一方、拒否ボタンでなければ（Ｓ１５，ＮＯ）、その他の操作ボタンに応じた処理を実行する。例えば、時間割表示欄２３のスクロールや他のスケジュール情報の保留スケジュール表示欄２７への表示等を行う（Ｓ１７）。
【００４３】
また、Ｓ１４において、保留ボタンが操作されたと判断した場合には（Ｓ１４，ＹＥＳ）、図７に示すように、図１のスケジュール入力画面を記憶部１６に一時的に退避させた後（Ｓ１８）、図２のスケジュール保留画面に切り替える（Ｓ１９）。そして、新規スケジュール情報を各表示欄に表示し（Ｓ２０）、新規スケジュール情報の開始時刻及び終了時刻に前後する既存スケジュール情報を抽出及び表示する（Ｓ２１）。そして、新規スケジュール情報と共に、保留フラグのセットされたスケジュール情報をデータテーブルから抽出し、これらスケジュール情報をアイコン化して保留スケジュール表示欄２７に一覧表示する（Ｓ２２）。
【００４４】
この後、戻るボタン表示欄２８の戻るボタン、決定ボタン表示欄２９５の決定ボタン、及び拒否ボタン表示欄２６の拒否ボタンの何れかが入力操作されたか否かを判定し（Ｓ２３）、入力操作されなければ（Ｓ２３，ＮＯ）、Ｓ２３が繰り返して実行されることにより入力操作の待機状態となる。表示欄２８・２９・２６の何れかがペン先等で押圧されることによって、入力操作された場合には（Ｓ２３，ＹＥＳ）、戻るボタンの操作か否かを判定する（Ｓ２４）。戻るボタンの操作の場合には（Ｓ２４，ＹＥＳ）、図２のスケジュール保留画面を記憶部１６に一時的に退避させた後（Ｓ２５）、Ｓ１９で一時的に退避されていた図１のスケジュール入力画面に切り替える（Ｓ２６）。そして、図６のＳ９において入力操作の待機状態となる。
【００４５】
一方、戻るボタンの操作でない場合には（Ｓ２４，ＮＯ）、続いて決定ボタンの操作か否かを判定する（Ｓ２７）。決定ボタンの操作であれば（Ｓ２７，ＹＥＳ）、図４の携帯型端末側スケジュールデータテーブルに新規スケジュール情報を既存スケジュール情報（保留スケジュール情報）として格納する（Ｓ２８）。そして、格納したスケジュール情報に保留フラグをセットした後（Ｓ２９）、新規スケジュール情報を保留スケジュール情報としてスケジュールに組み込んだ旨を示す保留信号をスケジュール管理装置２に返信し（Ｓ３０）、本ルーチンを終了する。
【００４６】
一方、決定ボタンの操作でなければ（Ｓ２７，ＮＯ）、続いて、拒否ボタンの操作か否かを判定する（Ｓ３１）。拒否ボタンであれば（Ｓ３１，ＹＥＳ）、新規スケジュール情報をスケジュールに組み込まなかった旨を示す拒否信号をスケジュール管理装置２に返信する（Ｓ３２）。一方、拒否ボタンでなければ（Ｓ３１，ＮＯ）、その他の操作ボタンに応じた処理を実行する。例えば、時間割表示欄２３のスクロールや他のスケジュール情報の保留スケジュール表示欄２７への表示等を行った後（Ｓ３３）、本ルーチンを終了する。
【００４７】
以上のように、本実施形態の携帯型端末装置１は、時系列で処理する処理内容（何時何処で何の目的で誰と何時等）を含むスケジュール情報を既存スケジュール情報として記憶するスケジュール記憶手段（記憶部１６、スケジュールデータ領域１６ｃ等）と、無線又は有線の通信形態で送信されたスケジュール情報を新規スケジュール情報として受信する受信手段（通信部１４等）と、前記既存スケジュール情報及び前記新規スケジュール情報を含む各種の情報を画面表示可能な表示手段（表示部１３等）と、前記新規スケジュール情報を受信したときに、該新規スケジュール情報の処理内容を前記表示手段に画面表示させる表示制御手段（ＣＰＵ１５、記憶部１６、スケジュール管理処理ルーチン等）と、前記新規スケジュール情報を前記既存スケジュール情報として前記スケジュール記憶手段に記憶させるか否かを選択する選択手段（受入ボタン表示欄２４の受入ボタン、拒否ボタン表示欄２６の拒否ボタン等）とを有した構成にされている。
【００４８】
上記の構成によれば、携帯型端末装置に新規スケジュール情報の処理内容が画面表示されるため、これを見た携帯型端末装置の所持者が新規スケジュール情報をスケジュール（予定）に組み込むか否かを自分自身で判断することができる。これにより、スケジュールを組み上げる際の自由度を携帯型端末装置の所持者の意向まで反映した状態に高めることができる場合がある。さらに、秘書のようなスケジュール管理者が各人のスケジュールを管理する必要をなくすことができる場合もある。
【００４９】
また、本実施形態における前記表示制御手段は、前記スケジュール記憶手段から前記新規スケジュール情報の処理時間帯に基づいて前記既存スケジュール情報を抽出し（前後の抽出でも良いし、前又は後だけの抽出でも良い）、抽出した既存スケジュール情報と前記新規スケジュール情報とを時系列で前記表示手段に画面表示させる構成にされている。
【００５０】
上記の構成によれば、携帯型端末装置に新規スケジュール情報と既存スケジュール情報とが時系列で画面表示されるため、これを見た携帯型端末装置の所持者が新規スケジュール情報をスケジュールに組み込むか否かを自分自身で判断することが容易になる場合がある。
【００５１】
また、本実施形態における前記選択手段は、さらに、前記新規スケジュール情報を前記既存スケジュール情報として前記スケジュール記憶手段に記憶させるか否かを保留する保留手段（保留ボタン表示欄２５の保留ボタン）を有する構成にされている。上記の構成によれば、新規スケジュール情報をスケジュールに組み込むか否かの判断を即座にする必要がなくなるため、一層、所持者の好みに応じた自由度の高いスケジュールを組み上げることが可能になる。
【００５２】
また、本実施形態における前記表示制御手段は、前記保留手段により保留されたときに、保留したスケジュール情報と共に保留中の他のスケジュール情報を前記表示手段に画面表示させる構成にされている。
【００５３】
上記の構成によれば、保留中の他のスケジュール情報を確認しながら、スケジュール情報を既存スケジュール情報として受け入れるか否かを判断することができるため、一層判断が容易になる場合がある。
【００５４】
また、本実施形態における前記選択手段における操作結果を前記スケジュール情報の送信元に返信する返信手段（通信部１４）を有する構成にされている。上記の構成によれば、スケジュール情報の送信元においてスケジュール情報の受入や拒否、保留等を管理することが可能になる場合がある。
【００５５】
また、本実施形態の携帯型端末装置１は、スケジュール管理システムの一部を構成している。即ち、スケジュール管理システムは、携帯型端末装置１と、前記携帯型端末装置に対して前記スケジュール情報を送信すると共に、前記携帯型端末装置からの前記選択手段の操作結果を受信することによって、前記スケジュール情報を管理するスケジュール管理手段（スケジュール管理装置２等）とを有した構成にされている。
【００５６】
上記の構成によれば、スケジュール管理手段において携帯型端末装置に記憶されたスケジュール情報の状態を把握することができるため、１台のスケジュール管理手段で複数の携帯型端末装置を管理することが可能になる場合がある。
【００５７】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【００５８】
【図１】携帯型端末装置におけるスケジュール入力画面の説明図である。
【図２】携帯型端末装置におけるスケジュール保留画面の説明図である。
【図３】スケジュール管理システムの概略構成を示す説明図である。
【図４】携帯型端末側スケジュールデータテーブルの説明図である。
【図５】管理装置側スケジュールデータテーブルの説明図である。
【図６】スケジュール管理処理ルーチンのフローチャートである。
【図７】スケジュール管理処理ルーチンのフローチャートである。
【符号の説明】
【００５９】
１    携帯型端末装置
２    スケジュール管理装置
３    データ通信網
４    大容量記憶装置
５    情報処理装置
６    端末装置
１０  操作スイッチ部
１１  タッチパネル部
１２  入力部
１３  表示部
１４  通信部
１５  ＣＰＵ
１６  記憶部
２１  カレンダー表示欄
２２  新規スケジュール表示欄
２３  時間割表示欄
２４  受入ボタン表示欄
２５  保留ボタン表示欄
２６  拒否ボタン表示欄
２７  保留スケジュール表示欄
２８  戻るボタン表示欄
２９  決定ボタン表示欄
【図１】
2006221500.tif 000003
【図２】
2006221500.tif 000004
【図３】
2006221500.tif 000005
【図４】
2006221500.tif 000006
【図５】
2006221500.tif 000007
【図６】
2006221500.tif 000008
【図７】
2006221500.tif 000009